(57)【要約】【課題】消費電力増・コスト増にならない、ディスク回転に伴う流体力起因のディスク、アクチュエータの振動低減方法を実現することを目的とする。【解決手段】筐体内に設置された回転軸に支持されディスク１面に対し水平方向に回動可能なスポイラ８ｃを設け、アクチュエータの動作と連動させる。スライダがディスク内周位置、ディスクデータエリア面積の半分より内周側に位置決めされている時はスポイラ８ｃがディスク１上に無いこと、あるいは少なくともスライダがアンロードポイントからディスク１外周位置：ディスク外径の７５％より外側の半径位置に位置決めされている時は、スポイラ８ｃはディスク１上に挿入されているようにする。【選択図】図１
2004086962.tif 000002
【特許請求の範囲】
【請求項１】
磁気ディスク媒体と、それを保持し回転させるスピンドルモータと、前記磁気ディスク媒体に対し記録・再生を行う磁気ヘッドと、前記磁気ヘッドのトラッキング方向の位置決め動作を行うアクチュエータとを筐体内に備えた磁気ディスク装置において、筐体内に設置された回転軸に支持されディスク面に対し水平方向に回動可能なスポイラを設けたことを特徴とする磁気ディスク装置。
【請求項２】
請求項１に記載の磁気ディスク装置において、前記スポイラが前記アクチュエータの動きと連動して移動することを特徴とする磁気ディスク装置。
【請求項３】
請求項１又は２に記載の磁気ディスク装置において、前記スポイラはソレノイドラッチと同一部品にて構成されていることを特徴とする磁気ディスク装置。
【請求項４】
請求項２又は３に記載の磁気ディスク装置において、前記スポイラは、前記磁気ヘッドを搭載したスライダがディスク内周位置、ディスクデータエリア面積の半分より内周側に位置きめされている時は、ディスク上に無いことを特徴とする磁気ディスク装置。
【請求項５】
請求項２又は３に記載の磁気ディスク装置において、前記スポイラは、前記磁気ヘッドを搭載したスライダがアンロードポイントからディスク外径の７５％より外側の半径位置に位置決めされている時は、ディスク上に挿入されていることを特徴とする磁気ディスク装置。
【請求項６】
請求項１乃至５のいずれか１項に記載の磁気ディスク装置において、前記スポイラのディスクとの対向面に、回転するディスク面が接近した場合正圧を発生する表面形状が形成されていることを特徴とする磁気ディスク装置。
【発明の詳細な説明】
【０００１】
【発明の属する技術分野】
本発明は、大容量記憶装置に関し、特に磁気ディスク装置などの回転円盤型記憶装置において、装置駆動中の流体力起因の振動低減に関するものである。
【０００２】
【従来の技術】
磁気ディスク装置では、磁気ディスク媒体の回転によるディスク振動、前記ディスク媒体の回転に伴い発生する空気流れの変動：風乱により発生するアクチュエータ系の振動、流体力起因のディスクフラッタ振動、及び位置決めのためのアクチュエータのシーク動作によるアクチュエータ系の振動によって、磁気ヘッドスライダを磁気ディスク媒体の任意トラック位置へ位置決めさせる位置決め精度の悪化が発生することが知られている。アクチュエータの制御電流の改良により発生する振動は低減されてきているが、風乱により発生するアクチュエータ系の振動やディスクフラッタ振動をゼロにすることは不可能である。高速回転化が推進されるのに伴ない、ディスク回転に伴なう流体力起因の振動は増大しており、本振動低減はますます重要度を増している。このような流体力起因のアクチュエータ系の振動を抑制する方法として、ヘッドを支持するサスペンション部材に制振板を貼付する方法が３．５型以上の磁気ディスク装置では汎用的に使われており、ディスクフラッタ振動低減として、特開平８−３３９６５０号公報に開示されているような整流用のスポイラを設置する方法が用いられている装置もある。
【０００３】
【発明が解決しようとする課題】
近年、磁気ディスク装置は、従来の据え置き型のパソコンへの搭載という用途から、ポータブル用のノートパソコン、ＡＶ機器の記録装置などへの搭載等、用途が拡大されてきており、その用途拡大に伴い装置の耐衝撃向上、軽量化、静音化、低廉化の要求が大きくなっている。このような用途に用いられる２．５型以下の磁気ディス装置では特に、コスト低減が要求されており、また消費電力の上昇抑制も重要な課題である。
【０００４】
このような状況下で、２．５型以下の小型磁気ディスク装置において前述のサスペンション部材への制振板貼付はコストアップにつながるため採用は困難であり、スポイラ挿入は消費電力ＵＰと衝撃時にディスクと接触する恐れがあり採用は困難である。
【０００５】
本発明は、消費電力増・コスト増にならない、ディスク回転に伴う流体力起因のディスク、アクチュエータの振動低減方法を実現することを目的とする。
【０００６】
【課題を解決するための手段】
上記目的を達成するために、第一発明によれば、１枚あるいは複数枚の磁気ディスク媒体と、それを保持し回転させるスピンドルモータと、上記磁気ディスク媒体に対し記録・再生を行う磁気ヘッドと、本磁気ヘッドスライダを支持しトラッキング方向の位置決め動作を行うアクチュエータ、その駆動力となるボイスコイルモータ及びマグネット、これらを支持するベース筺体とトップカバーを有し、カバーとベース筺体の周囲を結合する複数の結合ネジにより構成される磁気ディスク装置において、筐体内に設置された回転軸に支持されディスク面に対し水平方向に回動可能なスポイラを設けたことを特徴とする磁気ディスク装置が提供される。
スポイラは、ソレノイドラッチと同一部品にて構成するとよい。
スライダは、ディスク内周位置、ディスクデータエリア面積の半分より内周側に位置きめされている時は、スポイラがディスク上に無いようにするとよい。あるいは少なくともスライダがアンロードポイントからディスク外周位置：ディスク外径の７５％より外側の半径位置に位置決めされている時は、スポイラはディスク上に挿入されているようにするとよい。これにより消費電力上昇を抑えつつ流体力起因振動の低減が可能である。
スポイラのディスクとの対向面に、回転するディスク面が接近した場合正圧を発生する表面形状を形成するとよい。これにより、衝撃時にスポイラ／ディスク接触回避しつつ流体力による振動低減が達成できる。
【０００７】
【発明の実施の形態】
次に図を参照して本発明の実施形態を説明する。
【０００８】
図１は、本発明の１実施例である。
【０００９】
装置内部には、１枚あるいは複数枚のディスク媒体１とそれを保持し回転させるスピンドル３０、それから磁気ヘッドスライダを支持するサスペンション２１とアーム２２、ボイスコイルモータ（ＶＣＭ）用コイルおよびコイルホルダ２３より形成されるシーク動作によるトラッキング方向の位置決め行うアクチュエータ２と、ボイスコイルモータ（ＶＣＭ）用マグネット４、ベース筺体６、ロードアンロード用ランプ５で構成されている。磁気ヘッドスライダは磁気ヘッドとこの磁気ヘッドを搭載したスライダとから構成され、アクチュエータ２の先端部に設けられている（図示せず）。アクチュエータ２はアンロード時には先端はランプ５上にあって、ディスク停止時にヘッドがディスク上にロードすることを防止するためにラッチ構造が設置されている。本実施例では、このラッチ機構としてソレノイドラッチを搭載し、そのラッチレバー８とスポイラ８ｃを同一部材より形成した例である。ソレノイドラッチは、磁石８ａを埋め込み回転軸１１に支持されたラッチレバーとソレノイド７から構成される。ラッチレバー８の先端爪８ａの部分と、アクチュエータ２のコイルホルダ２３の一部に搭載された爪部分１０とが係合して、アクチュエータ２がスライダがディスク上ロードオンする方向に動くのを防止する。このラッチレバー８は、アクチュエータの爪１０と接触するの先端８ａと、回転軸をはさんで反対側：ディスク側部分がスポイラ形状８ｃとから形成されている。
【００１０】
アクチュエータがアンロード状態▲１▼にある場合、ソレノイド電流は流れておらず、ラッチレバーは中に埋め込まれた磁石８ａとソレノイド鉄心７の吸引力により、ラッチレバー８と鉄心７が接触した状態にある。この状態では、アクチュエータ２がディスク方向へ動こうとした場合、アクチュエータ２のラッチ対応の爪部分１０がラッチレバー部材の先端部分８ｂによりラッチされている。このとき反対側のスポイラ８ｃはディスク外にある。アクチュエータがロードしディスク上の任意位置に位置決めされる場合の一連の動きを図２に示す。まずソレノイド７に電流が流され鉄心とラッチレバー８に埋め込まれた磁石８ａ間に反発力が発生し、ラッチレバーはソレノイド７から離れる方向に回動し（▲２▼）、ラッチレバーの先端８ｂとアクチュエータ２の爪部分１０が係合しなくなりラッチが解除される。それと連動してスポイラ８ｃがディスク１上に挿入される。スポイラ８ｃの挿入によりディスク振動低減が達成できる。アクチュエータ２が外周位置に位置決めされている間はソレノイド電流を流してスポイラ８Ｃを挿入したままとする。アクチュエータ２が外周からさらに内周（▲３▼）へと位置決めされる場合、ソレノイド電流を０としてラッチレバー８を再びソレノイド７と接触する状態にしてスポイラ８ｃをディスク１外へ搬出し消費電力増加を最低減におさえる。サーボトラックライトの際は、消費電力を気にすることがないため、ソレノイド電流を常時流して、ラッチレバー８をソレノイド７から離しスポイラ８ｃを挿入した状態を保つ。これにより書き込むサーボ信号の、ディスク振動・サスペンションのディスク回転に伴う風乱振動による変動を低減可能である。
【００１１】
図２は本発明の第２の実施例である。
【００１２】
本実施例は、ラッチ機構とスポイラ部材を別品とした例である。ラッチ機構はソレノイドラッチに限らずどのようなものでもよい。ラッチ機構の挙動は本実施例ではスポイラの動きと無関係であるため、ラッチ挙動は記載しない。スポイラ部材１５はベースに対し垂直に設置された回転軸１３に設置する。スポイラ１５の回転軸１３を挟んでアクチュエータ２側の部分にはアクチュエータ２動きにスポイラ１５を連動させるための出っ張り部分１５ａがある。アクチュエータ２のディスク側側面方向に上記と同じスポイラ１５と連動させるための突起形状１２が形成されている。スポイラ１５はディスク１が回転した場合、ディスク表面に沿った流れにより図の向かって右方向、アクチュエータの方向に押される。なお、本実施例ではアクチュエータがアンロード状態のときスポイラはディスク上に若干挿入されたままの状態である。図４に本実施例のアクチュエータ２挙動とスポイラ１５の位置の相関を示す。アクチュエータ２が初期位置（▲１▼）からロードポイントを経てディスク上へロードする場合（▲２▼）、スポイラ１５に形成された出っ張り１５ａとアクチュエータ２側の出っ張り１２との位置関係により、スポイラ１５は初期の位置からさらに内周へ動かされる。さらに内周へアクチュエータ２が移動すると（▲３▼）、スポイラ側突起部分１５ａとアクチュエータ側突起部分１２の相対関係により、スポイラ１５はディスク１外へ動く。ここで部品点数削減のため、スポイラの回転軸１１を外周ストッパと併用することも可能である。
【００１３】
本発明の別の実施例として、第一、第２の実施例で用いられるスポイラにおいて、回転するディスクが衝撃等で変形しスポイラに接近した際、スポイラのディスク対抗面部分に正圧が発生するような表面形状を形成する。
【００１４】
【発明の効果】
本発明によれば、消費電力増・コスト増にならない、ディスク回転に伴う流体力起因のディスク、アクチュエータの振動低減方法を実現することが可能である。
【００１５】
【図面の簡単な説明】
【図１】本発明の磁気ディスク装置の一実施形態を示す概要図である。
【図２】本発明の磁気ディスク装置の一実施形態を示す動作モードである。
【図３】本発明の磁気ディスク装置の別の実施形態を示す概要図である
【図４】本発明の磁気ディスク装置の別の実施形態を示す概要図である。
【符号の説明】
１…ディスク媒体、２…アクチュエータ、２１…サスペンション、２２…アーム、２３…・コイルおよびコイルホルダ、３…　ピボット軸、４…ＶＣＭ用マグネット、５…ランプ、６…ベース筺体、７…ソレノイド、８…ソレノイドラッチレバー、８ａ…磁石、８ｂ…・ラッチ爪、８ｃ…スポイラ、１０…アクチュエータ側ラッチ用爪、１１…ラッチレバー固定軸、１３…スポイラ固定軸、１５…スポイラ、１５ａ・…スポイラ側突起部分、１２…アクチュエータ突起部分。
【図１】
2004086962.tif 000003
【図２】
2004086962.tif 000004
【図３】
2004086962.tif 000005
【図４】
2004086962.tif 000006